(57)【要約】      （修正有）【課題】メディアドライブのメディアトレイと、プリンタのプリンタトレイと、第２のスタッカとが、同一の垂直搬送路上に位置しているメディア処理装置において、その垂直搬送路上でメディアを搬送中に搬送アームがそのメディアを落下させても、正当なユーザ以外の者にメディアが流出することを防止する。【解決手段】外部取り出し用のスタッカ部を覆う位置にレーベルプリンタ１１のプリンタトレイ４５を位置させるよう制御し、スタッカ部を覆った後に、垂直搬送路上で処理済メディアＭを搬送する。【選択図】図３
2010086612.tif 000002
【特許請求の範囲】
【請求項１】
メディアに対してデータの書き込み処理を行うメディアドライブと、少なくとも前記書き込み処理が行われた処理済メディアが一時的に収容される第１のスタッカと、前記メディアを少なくとも前記メディアドライブ及び前記第１のスタッカの間で搬送する搬送部と、を備えたメディア処理装置であって、
外部へ取り出される処理済メディアが収容されるスタッカであって、前記搬送部の垂直搬送路上に配置された第２のスタッカと、
前記搬送部が前記垂直搬送路上で処理済メディアを落下させても、前記第２のスタッカから前記処理済メディアを外部へ取り出すことができないよう制御する取り出し制御部と、を有することを特徴とするメディア処理装置。
【請求項２】
前記メディアの印刷面に印刷処理を行うプリンタを備え、
前記取り出し制御部は、前記搬送部が前記処理済メディアを前記垂直搬送路上で搬送する場合は、前記第２のスタッカを覆う位置に前記プリンタのプリンタトレイを位置させるよう制御することを特徴とする請求項１に記載のメディア処理装置。
【請求項３】
ユーザ固有の識別情報と前記第１のスタッカ内の処理済メディアの収容位置情報と、を関連付けて管理し、入力された識別情報に対応する処理済メディアのみを前記第２のスタッカへ排出するセキュリティモードにおいて、
前記取り出し制御部は、前記処理済メディアの作成処理中に前記処理済メディアを前記垂直搬送路上で搬送する場合は、前記第２のスタッカを覆う位置に前記プリンタのプリンタトレイを位置させ、
前記処理済メディアの排出処理中であって、第１のスタッカに収容された処理済メディアのうち入力された識別情報と対応しない処理済メディアを前記垂直搬送路上で搬送する場合は、前記第２のスタッカを覆う位置に前記プリンタトレイを位置させることを特徴とする請求項１または２に記載のメディア処理装置。
【請求項４】
メディアに対してデータの書き込み処理を行うメディアドライブと、前記メディアの印刷面に印刷処理を行うプリンタと、少なくとも前記書き込み処理が行われた処理済メディアが一時的に収容される第１のスタッカと、前記処理済メディアが排出される第２のスタッカと、前記メディアを、前記メディアドライブ、前記プリンタ、前記第１のスタッカ及び前記第２のスタッカの間で搬送する搬送部と、を備え、前記第２のスタッカが前記搬送部の垂直搬送路上に配置されたメディア処理装置の制御方法であって、
前記第２のスタッカを覆う位置に前記プリンタのプリンタトレイを位置させるよう制御するステップと、
前記第２のスタッカを覆った後に、前記垂直搬送路上で処理済メディアを搬送するステップと、を有することを特徴とするメディア処理装置の制御方法。
【発明の詳細な説明】
【技術分野】
【０００１】
本発明は、メディアに対して少なくともデータの書き込み処理を行うメディア処理装置及びその制御方法に関する。
【背景技術】
【０００２】
データが記録されていないコンパクトディスクなどのメディアにデータを記録するメディア処理装置が知られている。メディア処理装置は、メディアにデータを記録する少なくとも１つのドライブ、メディアの記録面の裏側に貼着されているレーベル面に印刷処理を行なうプリンタ、メディアを保管する各種スタッカ、及びメディアを上記の各装置間で搬送する搬送装置等を具備した構成となっている（例えば、特許文献１参照）。
【０００３】
ところで、企業などの組織では一般にＬＡＮなどのネットワークが構築され、ネットワークには管理サーバおよび多数台のクライアントＰＣ、プリンタなどの出力端末が接続されている。かかるネットワークのユーザは、クライアントＰＣを用いて各種の文書、図形などの作成、編集を行うことができる。また、作成データを当該クライアントＰＣの内蔵メモリに保管して管理し、あるいは、ＣＤ、ＤＶＤなどの可搬型の外部記録媒体に書き込むこともできる。
【０００４】
【特許文献１】特開２００８−１８０２８１号公報
【発明の開示】
【発明が解決しようとする課題】
【０００５】
ところで、特許文献１に記載したメディア処理装置をネットワークに接続すれば複数のユーザによって共用することができ、ネットワークを介して送信した作成データをメディアに記録することもできる。出願人は、ネットワークに接続することができるメディア処理装置を先に出願している。以下、先に出願しているメディア処理装置の構成について説明する。
【０００６】
出願人は、メディア処理装置の一実施形態として、ＣＤやＤＶＤ等の円板状のメディアへのデータの書き込みやメディアのレーベル面への印刷を行うディスクパブリッシャ（以下、「パブリッシャ」という。）を例示して説明している。まず、パブリッシャの機械的構成について説明する。
（パブリッシャの構成について）
図１は各部を閉状態としたパブリッシャの外観斜視図、図２は各部を開状態としたパブリッシャの外観斜視図、図３はパブリッシャのケースを外した状態の前方上側から見た斜視図である。
【０００７】
図１に示すように、パブリッシャ１は、例えばＣＤやＤＶＤ等の円板状のメディアへのデータの書き込みやメディアのレーベル面への印刷を行うメディア処理装置であり、ほぼ直方体形状のケース２を備えている。このケース２の前面には、左右に開閉可能な開閉扉３，４が取り付けられている。ケース２の上側左端部には、表示ランプ、操作ボタン等が配列された操作面５が設けられており、また、ケース２の下端には、下方に突出するように載置用の脚部６が左右両側に設けられている。左右の脚部６の間位置には引出機構７が設けられている。
【０００８】
正面視右側の開閉扉３は、図２に示すように、パブリッシャ１の前面側の開口部８を開閉するもので、例えば未使用（ブランク）のメディアＭを開口部８を介してセットする時、あるいは作成済みのメディアＭを、開口部８を介して取り出すときに、開閉する扉である。
また、正面視左側の開閉扉４は、図３に示すレーベルプリンタ１１のインクカートリッジ１２の入れ換え時に開閉するためのものであり、この開閉扉４を開けると、鉛直方向に配列された複数のカートリッジホルダ１３を有するカートリッジ装着部１４が露出するようになっている。
【０００９】
図２及び図３に示すように、パブリッシャ１のケース２の内部には、データ書き込み処理が行われていない複数枚（例えば５０枚）の未使用のメディアＭをスタック可能なメディア保管部としてのメディアスタッカ２１と、複数枚（例えば５０枚）の未使用のメディアＭあるいは作成済みメディアＭが保管されるメディア保管部としてのメディアスタッカ２２とが保管されるメディアＭの中心軸線が同一となるように上下に配置されている。メディアスタッカ２１及びメディアスタッカ２２は、それぞれ所定位置に対して着脱自在である。
【００１０】
上側のメディアスタッカ２１は、左右一対の円弧状の枠板２４，２５を備えており、これにより、メディアＭを上側から受け入れ、同軸に積層した状態で収容可能な構成をなしている。メディアスタッカ２１にメディアＭを収容あるいは補充する作業は、開閉扉３を開けてメディアスタッカ２１を取り出すことにより、簡単に行うことが可能となっている。
【００１１】
下側のメディアスタッカ２２も同一構造となっており、左右一対の円弧状の枠板２７，２８を備え、これによって、メディアＭを上側から受け入れ、同軸に積層した状態で収容可能なスタッカが構成されている。
【００１２】
図３に示すように、メディアスタッカ２１及びメディアスタッカ２２の後側には、メディア搬送機構３１が配置されている。メディア搬送機構３１は、本体フレーム３０とシャーシ３２の天板３３との間に垂直に架け渡されている垂直ガイド軸３５を有している。この垂直ガイド軸３５に搬送アーム３６が昇降及び旋回可能な状態で支持されている。搬送アーム３６は、駆動モータである搬送アーム駆動部３７によって垂直ガイド軸３５に沿って昇降可能であるとともに、垂直ガイド軸３５を中心に左右に旋回可能である。
【００１３】
上下のスタッカ２１，２２及びメディア搬送機構３１の側方の後方の部位には、上下に積層された２つのメディアドライブ４１が配置され、これらメディアドライブ４１の下側にレーベルプリンタ１１のキャリッジ６２が移動可能に配置されている。
メディアドライブ４１は、メディアＭへのデータ書き込み位置とメディアＭの受け取り受け渡しを行うメディア受け渡し位置との間を移動可能なメディアトレイ４１ａをそれぞれ有している。
【００１４】
また、レーベルプリンタ１１は、メディアＭのレーベル面へのレーベル印刷可能な印刷位置とメディアＭの受け取り受け渡しを行うメディア受け渡し位置との間を移動可能なメディアトレイ４５を有している。
【００１５】
図３では、上下のメディアドライブ４１のメディアトレイ４１ａが手前に引き出されてメディア受け渡し位置にある状態及び下側のレーベルプリンタ１１のメディアトレイ４５が手前側のメディア受け渡し位置にある状態が示されている。また、レーベルプリンタ１１はインクジェットプリンタであり、インク供給機構６０として各色（ここではブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００１６】
ここで、メディアスタッカ２１の左右一対の枠板２４，２５の間及びメディアスタッカ２２の左右一対の枠板２７，２８の間には、メディア搬送機構３１の搬送アーム３６が昇降可能な隙間が形成されている。また、これら上下のメディアスタッカ２１とメディアスタッカ２２との間には、メディア搬送機構３１の搬送アーム３６が水平に旋回して、メディアスタッカ２２の真上に位置できるように隙間が開いている。さらに、両メディアトレイ４１ａをメディアドライブ４１に押し込むと、メディア搬送機構３１の搬送アーム３６を下降させて、メディア受け渡し位置にあるメディアトレイ４５にアクセス可能となっている。
【００１７】
メディア搬送機構３１の搬送アーム３６は、両メディアトレイ４１ａをデータ書き込み位置に位置させ、メディアトレイ４５を奥側の印刷位置に位置させた状態で、メディアトレイ４５の高さ位置よりもさらに下側まで下降可能となっている。そして、メディアトレイ４５のメディア受け渡し位置の下方には、搬送アーム３６がこの位置まで下降してリリースしたメディアＭが通過するガイド穴であって、後述するメディアスタッカ（別体スタカ）が装着されるガイド穴６５が形成されている。
【００１８】
図２及び図３に示すように、引出機構７は、本体フレーム３０の下側に、本体フレーム３０から引き出して開いたり、収納して閉じたりすることが可能な引出トレイ７０を有している。引出トレイ７０には、スタッカ部７１が下方に凹んで設けられている。引出トレイ７０が収納位置（閉位置）にあるとき、スタッカ部７１は、ガイド穴６５の下方に位置し、スタッカ部７１の中心部は、受け渡し位置にある両メディアトレイ４１ａとメディアトレイ４５の中心軸線が同一となるように位置されている。このスタッカ部７１は、ガイド穴６５を介して投入されるメディアＭを受け入れ、このメディアＭを比較的少量（例えば５枚〜１０枚程度）だけ収容する。スタッカ部７１は、メディアＭを上側から受け入れ、同軸に積層した状態で収容可能となっている。
【００１９】
収納状態にある引出トレイ７０のスタッカ部７１及びガイド穴６５には、スタッカ部７１よりもメディアＭの収容量が多いメディアスタッカ（別体スタッカ）７２が着脱可能となっている（図３参照）。このメディアスタッカ７２も、一対の円弧状の枠板７３，７４を備えており、これによって、メディアＭを上側から受け入れ、同軸に積層した状態で複数枚（例えば５０枚）収容可能となっている。一対の円弧状の枠板７３，７４の間には、メディア搬送機構３１の搬送アーム３６が昇降可能な隙間が形成されている。また、一方の枠板７４の上部には着脱時にユーザによって把持される取っ手７５が設けられている。
【００２０】
そして、メディアスタッカ７２を取り付けた状態とすれば、下側のメディアスタッカ２２から未使用のメディアＭを取り出し、メディアドライブ４１およびレーベルプリンタ１１でデータ記録および印刷を行った後に、メディアスタッカ７２に収容することができる。
また、例えば、上側のメディアスタッカ２１および下側のメディアスタッカ２２にそれぞれの最大収容枚数（５０枚＋５０枚）の未使用のメディアＭを装填し、下側のメディアスタッカ２２の全枚数（５０枚）のメディアＭを順次処理してメディアスタッカ７２に収容し、次に、上側のメディアスタッカ２１の全枚数（５０枚）のメディアＭを順次処理して、空となった下側のメディアスタッカ２２に収容する。このようにして、上側のメディアスタッカ２１および下側のメディアスタッカ２２の最大収容枚数（５０枚＋５０枚）のメディアＭを一度に処理する（バッチ処理モード）。
【００２１】
また、メディアスタッカ７２を取り外した状態とすれば、上側のメディアスタッカ２１あるいは下側のメディアスタッカ２２から未使用のメディアＭを取り出し、メディアドライブ４１及びレーベルプリンタ１１でデータ記録及び印刷を行った後に、収納状態にある引出トレイ７０のスタッカ部７１に収容することができる。
【００２２】
これにより、その後、引出トレイ７０を引き出すことでスタッカ部７１から処理が完了したメディアＭを取り出すことができる。つまり、メディアＭへの処理中であっても、開閉扉３を閉じたまま、処理が完了したメディアＭから順に１枚ずつあるいは複数枚ずつ取り出すことができる（外部排出モード）。
【００２３】
上述の通り、パブリッシャ１は、２つのメディアドライブ４１，４１のメディアトレイ４１ａ，４１ａ及びレーベルプリンタ１１のメディアトレイ４５の真下に、ガイド穴６５を介して投入されたメディアＭを受け入れるスタッカ部７１が配置されている。このため、別体スタッカ７５を取り外して使用した場合、メディア搬送機構３１によってスタッカ部７１上をメディアＭが搬送されることがある。スタッカ部７１上でメディアＭの搬送中に、搬送アーム３６からメディアＭが落下すると、スタッカ部７１に落下する虞がある。
【００２４】
スタッカ部７１に落下したメディアＭは、引出トレイ７０を引き出すことによって取り出すことができる。したがって、機密度の高い情報資産が書き込まれたスタッカ部７１にメディアＭが落下すると、メディアを作成した者以外の第３者に機密度の高いメディアが流出してしまう虞がある。特に、パブリッシャ１をネットワーク上の複数のクライアント端末で共用しており、ユーザから離れた場所に設置されているような形態では、誰が引出トレイ７０を引き出してメディアＭを取り出したかが不明である。
【００２５】
本発明は、上記課題を解決するためになされたものであって、少なくともメディアドライブのメディアトレイと、第２のスタッカとが、同一の垂直搬送路上に位置しているメディア処理装置において、その垂直搬送路上でメディアを搬送中に搬送アームがそのメディアを落下させても、正当なユーザ以外の者にメディアが流出することを防止することを目的とする。
【課題を解決するための手段】
【００２６】
上記課題を解決することのできる本発明は、メディアに対してデータの書き込み処理を行うメディアドライブと、少なくとも前記書き込み処理が行われた処理済メディアが一時的に収容される第１のスタッカと、前記メディアを少なくとも前記メディアドライブ及び前記第１のスタッカの間で搬送する搬送部と、を備えたメディア処理装置であって、
前記処理済メディアが排出されるスタッカであって、前記搬送部の垂直搬送路上に配置された第２のスタッカと、
前記搬送部が前記垂直搬送路上で処理済メディアを落下させても、前記第２のスタッカから前記処理済メディアを外部へ取り出すことができないよう制御する取り出し制御部と、を有することを特徴とする。
【００２７】
メディアドライブのメディアトレイと、プリンタのプリンタトレイと、第２のスタッカとが、同一の垂直搬送路上に位置しているため、その垂直搬送路上でメディアが落下した場合、第２のスタッカに落下する虞がある。
上記構成によれば、その垂直搬送路上でメディアを搬送中に搬送アームがそのメディアを落下させても、外部へ取り出すことができないよう制御することができるで、正当なユーザ以外の者にメディアが流出することを防止することができる。
【００２８】
また、上記メディア処理装置において、前記メディアの印刷面に印刷処理を行うプリンタを備え、前記取り出し制御部は、前記搬送部が前記処理済メディアを前記垂直搬送路上で搬送する場合は、前記第２のスタッカを覆う位置に前記プリンタのプリンタトレイを位置させるよう制御することを特徴とする。
上記構成によれば、第２のスタッカがプリンタトレイによって覆われるので、処理済メディアが第２のスタッカに落下することを防止することができる。
【００２９】
また、上記メディア処理装置において、ユーザ固有の識別情報と前記第１のスタッカ内の処理済メディアの収容位置情報と、を関連付けて管理し、入力された識別情報に対応する処理済メディアのみを前記第２のスタッカへ排出するセキュリティモードにおいて、
前記取り出し制御部は、前記処理済メディアを前記第２のスタッカへ排出する処理において、前記第１のスタッカに収容された処理済メディアのうち入力された識別情報と対応しない処理済メディアを前記垂直搬送路上で搬送する場合に、前記第２のスタッカを覆うよう制御することを特徴とする。
【００３０】
セキュリティモードでは、入力された識別情報と対応する処理済メディアのみが第２のスタッカに排出されなければならないが、その他の処理済メディアが垂直搬送路上を搬送中に落下すると第２のスタッカに落下する虞がある。したがって、機密度の高い情報が書き込まれた処理済メディアが第２のスタッカから取り出され外部へ流出する虞がある。
上記構成によれば、処理済メディアの作成処理においては、識別情報に関係なく第２のスタッカを覆うので、確実に処理済メディアが外部へ流出することを防止することができる。
また、処理済メディアの排出処理においては、入力された識別情報と対応しない処理済メディアを搬送する場合に第２のスタッカを覆うよう制御する。言い換えると、入力された識別情報と対応する処理済メディアを垂直搬送路上で搬送する場合は第２のスタッカを覆わないため、処理済メディアが落下しても第２のスタッカに収容される。この場合は、識別情報に対応する処理済メディアは、その識別情報を入力した正当なユーザによって第２のスタッカから取り出される。
一方、識別情報と対応しない処理済メディアが落下した場合はプリンタトレイによってブロックされるため第２のスタッカには落下せず、取り出すことができない。このため、機密度の高い情報が書き込まれた処理済メディアが外部へ流出することを防止することができる。
【００３１】
また、上記課題を解決することのできる本発明は、メディアに対してデータの書き込み処理を行うメディアドライブと、前記メディアの印刷面に印刷処理を行うプリンタと、少なくとも前記書き込み処理が行われた処理済メディアが一時的に収容される第１のスタッカと、前記処理済メディアが排出される第２のスタッカと、前記メディアを、前記メディアドライブ、前記プリンタ、前記第１のスタッカ及び前記第２のスタッカの間で搬送する搬送部と、を備え、前記第２のスタッカが前記搬送部の垂直搬送路上に配置されたメディア処理装置の制御方法であって、
前記第２のスタッカを覆う位置に前記プリンタのプリンタトレイを位置させるよう制御するステップと、前記第２のスタッカを覆った後に、前記垂直搬送路上で処理済メディアを搬送するステップと、を有することを特徴とする。
【発明を実施するための最良の形態】
【００３２】
以下、本発明に係るメディア処理装置及びその制御方法の実施形態の例を、図面を参照しつつ説明する。なお、本実施形態では、上述した先に出願しているメディア処理装置の一例であるパブリッシャ１を例示して説明する。したがって、機械的構成は、上述のごとく図1〜図３で示した構成と変わらないため、本実施形態においては重複する説明は省略する。
【００３３】
なお、図３で示したように、パブリッシャ１は、２つのメディアドライブ４１，４１のメディアトレイ４１ａ，４１ａ及びレーベルプリンタ１１のメディアトレイ４５（以下、「プリンタトレイ４５」と呼ぶ。）の真下に、ガイド穴６５を介して投入されたメディアＭを受け入れるスタッカ部７１が配置されている。すなわち、メディアトレイ４１ａ，４１ａ、プリンタトレイ４５及びスタッカ部７１は、搬送アーム３６の同一の垂直搬送路上に配置されている。
【００３４】
このため、別体スタッカ７５を取り外して使用した場合、メディア搬送機構３１によってメディアＭが垂直搬送路上を搬送されると、何らかの事情で搬送アーム３６からメディアＭが落下した場合、そのメディアはスタッカ部７１に収容される虞がある。
【００３５】
本実施形態のパブリッシャ１は、バッチ処理モード及び外部排出モードの他に、以下に説明するセキュリティモードを備えている。特に、このセキュリティモードにおいて処理済メディアＭが落下してスタッカ部７１に収容されると、メディアの作成を依頼したユーザ以外の第３者がスタッカ部７１から容易に取り出すことができてしまう。以下では、セキュリティモードにおいて、メディアの作成を依頼したユーザ以外の第３者に処理済メディアＭが流出することをどのように防止するかについて説明する。
【００３６】
（セキュリティモードについて）
セキュリティモードとは、メディアの作成を依頼したユーザ以外の第３者に処理済メディアＭが容易に流出することを防止することを目的したモードであり、機密度の高い情報を含むデータ等が書き込まれることが想定される。
セキュリティモードでは、メディアスタッカ２１に未使用のメディアＭを収容しておき、メディアスタッカ２２（第１のスタッカ）に作成済みのメディアＭを収容する。すなわち、メディアスタッカ２１から未使用のメディアＭを取り出し、メディアドライブ４１及びプリンタ１１でデータ記録及び印刷を行った後に、メディアスタッカ２２へ作成済みのメディアＭを収容する。
なお、処理済メディアＭをメディアスタッカ２２へ収容するとともに、メディア作成を依頼したユーザのユーザＩＤ及びパスワード（ユーザ固有の識別情報）と、メディアスタッカ２２内の処理済メディアＭの収容位置情報と、を関連付けて管理している。これにより、あるユーザから依頼された作成済みメディアＭがメディアスタッカ２２の何層目に収容されているか、あるいはメディアスタッカ２２のある層に収容されている処理済メディアＭはどのユーザによって作成依頼されたものか、を容易に判定することができる。
【００３７】
また、セキュリティモードにおいて、処理済メディアＭをメディアスタッカ２２からスタッカ部７１（第２のスタッカ）へ排出したいユーザは、ユーザＩＤ及びパスワードを入力する。すると、入力されたユーザＩＤ及びパスワードに対応する処理済メディアＭの上に積層されている他のメディアＭをメディアスタッカ２１へ搬送して一時的に待避させる。対応する処理済メディアＭのみをスタッカ部７１に搬送すると、メディアスタッカ２１へ一時的に待避させていた他のメディアＭを元のメディアスタッカ２２へ戻す。これにより、処理済メディアＭは正当なユーザへ渡るため、機密度の高い情報の流出を防止することができる。
【００３８】
（パブリッシャの内部構成について）
次に、パブリッシャ１の内部処理について説明する。図４は、メディア処理装置の内部処理を説明するブロック図である。
本実施形態の１は、複数のクライアントコンピュータ６１，６２，６３とＬＡＮなどのネットワークを介して通信可能に接続されており、クライアントコンピュータ６１，６２，６３から送信されるメディア発行ジョブに基づきメディア作成処理を実行する。パブリッシャ１は複数のクライアントコンピュータ６１，６２，６３によって共用されており、複数のユーザが作成したメディア発行ジョブを処理することができるようになっている。
【００３９】
図１に示すように、パブリッシャ１は主として、ジョブ管理基板５０、ハードディスク５１、オートローダ基板５２、プリンタ基盤５３、ドライブ基板５４、入力部５５、メディアトレイ駆動部５６、搬送アーム駆動部５７及びプリンタトレイ駆動部５８を備えている。
ジョブ管理基板５０は、クライアントコンピュータ６１，６２，６３から送信されたメディア作成ジョブの管理を行う。複数のメディア作成ジョブの実行や終了を管理したり、メディア作成ジョブの実行・終了状態を各クライアントコンピュータへ報告したりする。例えば、クライアントコンピュータ６１のメディア作成ジョブが正常終了したら、クライアントコンピュータ６２のメディア作成ジョブを起動するといったジョブ管理を行う。
【００４０】
また、ジョブ管理基板５０は、処理済メディアＭの各スタッカへの収容位置をハードディスク５１内のジョブ管理テーブルによって管理する。例えば、上述したセキュリティモードにおいて、メディアスタッカ２２のメディア収容状態を図５に示すようなジョブ管理テーブルによって管理する。
例えば、クライアントコンピュータ６１のユーザ（ユーザＩＤ：ｕｓｅｒ０１，パスワード：０１２３）が作成したメディア作成ジョブＡを受け付けると、ジョブ管理基板５０はジョブＡの実行を各基板へ指示する。ジョブＡが終了するとメディアＭのジョブ管理テーブルを更新する。つまり、メディアスタッカ２２の第１層目（メディアスタッカ２２−１）にジョブＡの処理済メディアＭが収容されたことを書き込む。このように、メディア作成ジョブを終了すると、メディア収容位置とユーザ固有の識別情報とを対応付けて保存する。図５では、メディアスタッカ２２の第１層目から第５層目まで処理済メディアＭが収容された状態を示している。
【００４１】
一方、メディアスタッカ２２に収容された処理済メディアＭを取り出す際には、ユーザＩＤ、パスワードの入力に応じて、ユーザＩＤ、パスワードと一致する処理済メディアＭを排出するためのメディア排出ジョブを生成し実行する。例えば、識別情報としてユーザＩＤ：ｕｓｅｒ０３，パスワード：８９０１が入力されると、メディアスタッカ２２の第３層目と第４層目に収容されている処理済メディアＭをスタッカ部７１へ排出するための排出ジョブを生成し実行する。
【００４２】
すなわち、排出対象となっているジョブＣ及びジョブＤの処理済メディアＭの上に積層されているジョブＥの処理済メディアＭをメディアスタッカ２１へ搬送して一時的に待避させ、ジョブＣ及びジョブＤの処理済メディアＭのみをスタッカ部７１へ搬送する。そして、メディアスタッカ２１へ一時的に待避したジョブＥの処理済メディアＭを元のメディアスタッカ２２へ戻す。この一連の搬送処理を排出ジョブとして生成し実行する。
排出ジョブが終了すると、図６に示すようにメディア収容位置のうちメディアスタッカ２２−３，２２−４，２２−５を更新する。これにより、メディアスタッカ２２の第３層にはジョブＥの処理済メディアＭが収容され、メディアスタッカ２２−４及びメディアスタッカ２２−５が空き状態になる。
【００４３】
さらにジョブ管理基板５０には、入力部５５が接続されており、ユーザが操作面５によって入力したユーザＩＤ及びパスワードを受け付け、ジョブ管理基板５０へ送信する。
【００４４】
オートローダ基板５２は、各ジョブに応じたオートローダ３１の搬送処理を制御する。また、オートローダ基板５２には搬送アーム駆動部３７が接続されており、搬送アーム３６の動作を制御する。
【００４５】
プリンタ基板５３は、各メディア作成ジョブに基づきプリンタ１１の印刷処理を制御する。ＣＤ／ＤＶＤなどのメディアＭのレーベル面にレーベル印刷を行う。また、プリンタ基板５３にはプリンタトレイ駆動部５８が接続されており、プリンタトレイ４５を印刷位置とメディア受け渡し位置との間で移動させる。
【００４６】
ドライブ基板５４は、各メディア作成ジョブに基づきメディアドライブ４１のデータ書き込み処理を制御する。メディアＭのデータ書き込み面にデータを書き込む。また、ドライブ基板５４には、メディアトレイ駆動部５６が接続されており、メディアトレイ４１ａ，４１ａをデータ書き込み位置とメディア受け渡し位置との間で移動させる。
【００４７】
なお、本実施形態において取り出し制御部は、オートローダ基板５２、プリンタ基板及びプリンタトレイ駆動部５８によって構成される。
【００４８】
（セキュリティモードにおけるプリンタトレイの制御方法について）
次に、メディアの作成を依頼したユーザ以外の第３者が容易に作成済みメディアを取り出すことができないようにするためのプリンタトレイの制御方法を説明する。図７は、セキュリティモードにおけるメディア作成処理時のプリンタトレイ制御方法を説明するためのフローチャートであり、図８は、セキュリティモードにおけるメディア排出処理時のプリンタトレイ制御方法を説明するためのフローチャートである。
【００４９】
＜メディア作成処理におけるプリンタトレイの制御方法＞
予め複数の未処理のメディアをメディアスタッカ２１に収容させておく。
各クライアントコンピュータ６１，６２，６３のユーザはパブリッシャ１のドライバを介してメディア作成を依頼する。例えば、クライアントコンピュータ６１はユーザ（ユーザＩＤ：ｕｓｅｒ０１，パスワード：０１２３）からのメディア作成依頼に応じてメディア作成ジョブＡを生成し、クライアントコンピュータ６２はユーザ（ユーザＩＤ：ｕｓｅｒ０２，パスワード：４５６７）からのメディア作成依頼に応じてメディア作成ジョブＢ，Ｅを生成し、クライアントコンピュータ６３はユーザ（ユーザＩＤ：ｕｓｅｒ０３，パスワード：８９０１）からのメディア作成依頼に応じてメディア作成ジョブＣ，Ｄを生成する。
【００５０】
ジョブ管理基板５０は、各メディア作成ジョブを受け付けると、各基板にジョブの実行を指示する。まず、ジョブＡの実行開始を指示すると、オートローダ基板５２は、搬送アーム駆動部３７を駆動させ、搬送アーム３６が未処理のメディアが収容されているメディアスタッカ２１からメディアを１枚だけピックアップする（ステップＳ１１）。ピックアップしたメディアをメディアドライブ４１へ搬送し、メディアドライブ４１がデータを書き込む（ステップＳ１２）。次に、オートローダ基板５３からの指示を受けてプリンタ基板５３はプリンタトレイ駆動部５８を駆動させてプリンタトレイ４５を印刷位置からメディア受け渡し位置に引き出す（ステップＳ１３）。これにより、スタッカ部７１がプリンタトレイ４５によって覆われた状態となる。
【００５１】
オートローダ基板５３からの指示を受けてドライブ基板５４はメディアトレイ駆動部５６を駆動させ、メディアトレイ４１ａを書き込み位置からメディア受け渡し位置に引き出す。搬送アーム３６は、データの書き込み処理が終了した処理済メディアをメディアトレイ４１ａからピックアップし、ステップＳ１３で引き出しておいたプリンタトレイ４５へ搬送する。プリンタトレイ４５が印刷位置まで引き込まれ、レーベルプリンタ１１が処理済メディアのレーベル面に印刷を行う（ステップＳ１４）。
【００５２】
レーベル面への印刷処理が終了すると、プリンタトレイ４５を印刷位置まで戻すことなく、メディア受け渡し位置に位置させたまま、搬送アーム３６が処理済メディアＭをメディアスタッカ２２へ搬送し、リリースする（ステップＳ１５）。プリンタトレイ４５は処理済メディアＭがメディアスタッカ２２へリリースされた後に、もとの印刷位置へ戻される（ステップＳ１６）。
【００５３】
このように、ステップＳ１４でレーベルプリンタ１１によって印刷処理が行われた後、プリンタトレイ４５からメディアスタッカ２２へ搬送されるまでの間、プリンタトレイ４５はメディア受け渡し位置に維持される。このため、たとえプリンタトレイ４５から処理済メディアＭをピックアップするときに、正常にピックアップできず搬送アーム３６から落下させてしまったとしてもプリンタトレイ４５の上に落下するので、スタッカ部７１へ落下することを防止することができる。なお、プリンタトレイ４５上に落下させてしまったときは、エラー通知等を管理者に行えばよい。
【００５４】
これにより、例えば落下した処理済メディアＭがジョブＡによるものだった場合、メディア作成を依頼したユーザ（ユーザＩＤ：ｕｓｅｒ０１，パスワード：０１２３）以外の者に、処理済メディアＭをスタッカ部７１から取り出されることを防止することができ、情報資産の流出を未然に防止することができる。
【００５５】
なお、ジョブ管理基盤５０は、１つのメディア作成ジョブを終了すると、図５に示したジョブ管理テーブルを更新する。図７のフローチャートにしたがって、他のジョブＢ，Ｃ，Ｄ，Ｅを実行すると、図５のようなジョブ管理テーブルが作成される。
【００５６】
＜メディア排出処理におけるプリンタトレイの制御方法＞
図５に示したようにメディアスタッカ２２に処理済メディアＭが５枚積層された状態から、メディア作成を依頼したユーザ（ユーザＩＤ：ｕｓｅｒ０３，パスワード：８９０１）の処理済メディアＭのみをスタッカ部７１へ排出させる処理を説明する。
まず、ジョブＣ，Ｄによってメディア作成を依頼したユーザは、処理済メディアＭをパブリッシャ１から取り出すため、操作面５を介してユーザＩＤとパスワードを入力する。
【００５７】
ジョブ管理基板５０は、入力部５５からユーザＩＤとパスワードの入力を受け付けると、メディアスタッカ２２に入力されたユーザＩＤとパスワードと一致する処理済メディアＭがあるか否かを判定する（ステップＳ２１）。一致する処理済メディアＭがない場合は排出処理を終了する（ステップＳ２１：Ｎｏ）。
一致する処理済メディアＭがある場合は（ステップＳ２１：Ｙｅｓ）、入力されたユーザＩＤ及びパスワードと一致する作成済みメディアＭを排出するためのメディア排出ジョブを生成し実行する。
【００５８】
例えば、ユーザＩＤ：ｕｓｅｒ０３，パスワード：８９０１が入力されると、メディアスタッカ２２の第４層目と第３層目に収容されている処理済メディアＭをスタッカ部７１へ排出するための排出ジョブを生成しオートローダ基板５２に実行指示する（ステップＳ２２）。
オートローダ基板５２は、排出ジョブにしたがってプリンタ基板５３にプリンタトレイ４５をメディア受け渡し位置へ引き出すよう指示する。これは、第５層目の処理済メディアＭをメディアスタッカ２１へ待避させる際に、処理済メディアＭがスタッカ部７１へ落下しないようスタッカ部７１を覆うためである。
【００５９】
プリンタトレイ４５がメディア受け渡し位置に引き出されると（ステップＳ２３）、オートローダ基板５２は、メディアスタッカ２２の第５層目に積層されている処理済メディアＭをメディアスタッカ２１へ搬送し、一時的に待避させる（ステップＳ２４）。次に、引き出したプリンタトレイ４５を元の印刷位置へ戻す（ステップＳ２５）。第４層目と第３層目に積層されている処理済メディアＭをスタッカ部７１へ排出させるためである。
【００６０】
メディアスタッカ２２の第４層目に積層されている処理済メディアＭをスタッカ部７１へ排出し、続けてメディアスタッカ２２の第３層目に積層されている処理済メディアＭをスタッカ部７１へ排出する（ステップＳ２６）。オートローダ基板５２は、入力されたユーザＩＤ：ｕｓｅｒ０３，パスワード：８９０１に対応する処理済メディアＭの排出が完了すると、再びプリンタ基板５３にプリンタトレイ４５をメディア受け渡し位置へ引き出すよう指示する。これは、一時的に待避させていた処理済メディアＭをメディアスタッカ２２に戻す際に、処理済メディアＭがスタッカ部７１へ落下しないようスタッカ部７１を覆うためである。
【００６１】
プリンタトレイ４５がメディア受け渡し位置に引き出されると（ステップＳ２７）、オートローダ基板５２は、ステップＳ２４で一時的にメディアスタッカ２１へ待避させておいた処理済メディアＭを、元のメディアスタッカ２２に戻す（ステップＳ２８）。これにより、第５層目に積層されていたユーザＩＤ：ｕｓｅｒ０２，パスワード：４５６７に対応する作成済メディアは、メディアスタッカ２２の第３層目に改めて積層されたことになる。次に、ステップＳ２７で引き出したプリンタトレイ４５を元の印刷位置へ戻す（ステップＳ２９）。排出処理を終了するためである。
【００６２】
なお、ジョブ管理基盤５０は、１つのメディア排出ジョブを終了すると、図５に示したジョブ管理テーブルを図６のように更新する。すなわちメディアスタッカ２２の第３層目及び第４層目に書き込まれていたジョブＣ，Ｄを消去し、第３層目をジョブＥに書き換える。
【００６３】
このように、本実施形態のパブリッシャ１は、メディアドライブ４１のメディアトレイ４１ａ，４１ａと、レーベルプリンタ１１のプリンタトレイ４５と、スタッカ部７１とが、同一の垂直搬送路上に位置しているため、その垂直搬送路上で処理済メディアＭが落下した場合、スタッカ部７１に落下する虞がある。特に、セキュリティモードでは、入力されたユーザＩＤ及びパスワードと対応する処理済メディアＭのみがスタッカ部７１に排出されなければならないが、その他の処理済メディアＭが垂直搬送路上を搬送中に落下するとスタッカ部７１に落下する虞がある。
しかしながら本実施形態によれば、その垂直搬送路上で処理済メディアＭを搬送中に搬送アーム３６がそのメディアを落下させても、スタッカ部７１へ落下しないよう予めプリンタトレイ４５をメディア受け渡し位置へ引き出し、スタッカ部７１を覆うことができるで、正当なユーザ以外の者に処理済メディアＭが流出することを防止することができる。
【００６４】
また、処理済メディアＭの作成処理においてはユーザＩＤ及びパスワードに関係なくスタッカ部７１を覆うので、確実に処理済メディアＭが外部へ流出することを防止することができる。また、処理済メディアＭの排出処理においては入力されたユーザＩＤ及びパスワードと対応しない処理済メディアＭの搬送中にのみスタッカ部７１を覆うよう制御する。ユーザ固有の識別情報と対応しない処理済メディアＭが落下した場合はプリンタトレイ４５によってブロックされるためスタッカ部７１には落下せず、取り出すことができない。このため、機密度の高い情報が書き込まれた処理済メディアＭが外部へ流出することを防止することができる。
【００６５】
なお、本実施形態では、スタッカ部７１をプリンタトレイ４５によって覆うことで、処理済メディアＭの落下を防止したが、必ずしもプリンタトレイ４５に限定されるものではない。すなわち、スタッカ部７１を覆う蓋を別途設けた構成としてもよい。また、搬送アーム３６から処理済メディアＭが落下した場合は、落下した処理済メディアＭを取り出すことができないよう、エラー通知を行い、開閉扉４及び引出トレイ７０をロックする構成としてもよい。
【図面の簡単な説明】
【００６６】
【図１】各部を閉状態としたパブリッシャの外観斜視図である。
【図２】各部を開状態としたパブリッシャの外観斜視図である。
【図３】パブリッシャのケースを外した状態の前方上側から見た斜視図である。
【図４】本実施形態のパブリッシャの内部処理を説明するブロック図である。
【図５】本実施形態のパブリッシャのジョブ管理テーブルの一例である。
【図６】本実施形態のパブリッシャの更新後のジョブ管理テーブルである。
【図７】セキュリティモードにおけるメディア作成処理時のプリンタトレイ制御方法を説明するためのフローチャートである。
【図８】セキュリティモードにおけるメディア排出処理時のプリンタトレイ制御方法を説明するためのフローチャートである。
【符号の説明】
【００６７】
１：パブリッシャ、３７：搬送アーム駆動部、５０：ジョブ管理基板、５１：ハードディスク、５２：オートローダ基板、５３：プリンタ基板、５４：ドライブ基板、５５：入力部、５６：メディアトレイ駆動部、５８：プリンタトレイ駆動部、６１，６２，６３：クライアントコンピュータ。
【図１】
2010086612.tif 000003
【図２】
2010086612.tif 000004
【図３】
2010086612.tif 000005
【図４】
2010086612.tif 000006
【図５】
2010086612.tif 000007
【図６】
2010086612.tif 000008
【図７】
2010086612.tif 000009
【図８】
2010086612.tif 000010